(57)【要約】【課題】様々な受信環境においても、最適な階層を視聴者に提示可能な階層伝送受信装置を提供する。【解決手段】番組に含まれる映像や音声などの複数のコンポーネントが階層毎に多重化された伝送データを復調、ビタビ復号及びＲＳ復号した伝送系列から、階層品質が規定された各コンポーネントデータを含む番組配列情報を取得する。一方、ＲＳ復号のエラー訂正処理過程で生成されるエラー情報を階層毎に分離して、階層毎の伝送品質を求める。得られた階層品質及び伝送品質から、視聴番組要求に基づいて視聴者に提示するコンポーネントデータを、ＲＳ復号した伝送系列から抽出する。【選択図】図１
2005027222.tif 000002
【特許請求の範囲】
【請求項１】
複数のコンポーネントデータが階層毎に多重化された番組データを複数含む伝送データを受信し、前記受信した伝送データのうち、視聴番組要求に応じた番組の中から特定のコンポーネントデータを抽出する受信装置であって、
前記受信した伝送データを復調する復調手段と、
前記復調した伝送データを畳込み復号する畳込み復号手段と、
前記畳込み復号した伝送データに付加されているブロック符号を用いて、前記伝送データをエラー訂正した伝送系列を出力するブロック復号手段と、
前記伝送データの階層毎の伝送品質を監視する伝送品質監視手段と、
前記視聴番組要求に応じた番組データを選択するように前記復調手段を制御し、前記伝送系列から番組配列情報を抽出し、抽出した番組配列情報及び前記階層毎の伝送品質に基づいて、要求コンポーネントデータを決定するコンポーネントデータ決定手段と、
前記複数のコンポーネントデータから前記決定した要求コンポーネントデータを抽出するコンポーネントデータ抽出手段と
を有する
受信装置。
【請求項２】
前記ブロック符号はリードソロモン符号である
請求項１記載の受信装置。
【請求項３】
前記ブロック復号手段は、エラー訂正処理過程で
誤り検出可能か否かを示す訂正フラグと、
ビット又はバイト単位の誤りを示すエラーフラグと
を生成し、
前記伝送品質監視手段は、
前記訂正フラグ及び前記エラーフラグを、階層毎の訂正フラグ及びエラーフラグに分離するフラグ分離手段と、
それぞれ階層毎に分離された前記訂正フラグ及び前記エラーフラグを取り込み、前記エラーフラグの数は、受信データのフレーム同期信号によりフレーム単位でカウントされ、それぞれ保持される複数の伝送誤り保持手段と
を有し、
前記保持される訂正フラグ及びエラーフラグの数に基づいて、階層毎の伝送品質を監視する
請求項２記載の受信装置。
【請求項４】
前記コンポーネントデータ決定手段が抽出する番組配列情報は、
各コンポーネントデータが、映像データ及び音声データを含むアプリケーションデータのうち、いずれであるかについての情報、および
各コンポーネントデータが、複数の階層品質のうち、いずれであるかについての情報
を含み、
前記コンポーネントデータ決定手段は、アプリケーションデータ毎に要求コンポーネントデータを決定する
請求項２記載の受信装置。
【請求項５】
同一のアプリケーションデータにおいて、前記伝送品質監視手段に監視された伝送品質が所定以上であるコンポーネントデータが複数存在する場合には、
前記コンポーネントデータの中で最も階層品質が高いコンポーネントデータを、要求コンポーネントデータとする
請求項４記載の受信装置。
【請求項６】
前記コンポーネントデータ決定手段は、
各アプリケーションデータのＮ回目（Ｎは整数）の要求コンポーネントデータの階層が、所定階層品質以上であって、かつ伝送品質が所定以下であるときには、
前記アプリケーションデータのＮ＋１回目の要求コンポーネントデータの階層を所定階層品質以下とする
請求項４記載の受信装置。
【請求項７】
前記コンポーネントデータ決定手段は、
各アプリケーションデータのＮ回目（Ｎは整数）の要求コンポーネントデータの階層が、所定階層品質以下であって、かつ伝送品質が所定以上であるときには、
前記アプリケーションデータのＮ＋１回目の要求コンポーネントデータの階層を所定階層品質以上とする
請求項４記載の受信装置。
【請求項８】
前記コンポーネントデータの伝送状態を表示する表示手段
をさらに有し、
前記コンポーネントデータ決定手段は、
各アプリケーションデータのＮ回目（Ｎは整数）の要求コンポーネントデータの階層が、所定階層品質以下であって、かつ伝送品質が所定以下であるときには、
前記表示手段は伝送不良の表示を行う
請求項４記載の受信装置。
【請求項９】
複数のコンポーネントデータが階層毎に多重化された番組データを複数含む伝送データを受信し、前記受信した伝送データのうち、視聴番組要求に応じた番組の中から特定のコンポーネントデータを抽出する受信方法であって、
前記受信した伝送データを復調し、
前記復調した伝送データを畳込み復号し、
前記畳込み復号した伝送データに付加されているブロック符号を用いて、前記伝送データをエラー訂正した伝送系列を出力し、
前記伝送データの階層毎の伝送品質を監視し、前記伝送データを復調する際、前記視聴番組要求に応じた番組データを選択するように制御し、
前記伝送系列から番組配列情報を抽出し、
抽出した番組配列情報及び前記階層毎の伝送品質に基づいて、要求コンポーネントデータを決定し、
前記複数のコンポーネントデータから前記決定した要求コンポーネントデータを抽出する
受信方法。
【請求項１０】
前記ブロック符号はリードソロモン符号である
請求項９記載の受信方法。
【請求項１１】
前記ブロック復号する際のエラー訂正処理過程で
誤り検出可能か否かを示す訂正フラグと、
ビット又はバイト単位の誤りを示すエラーフラグと
を生成し、
前記階層毎に伝送品質を監視する際、
前記訂正フラグ及び前記エラーフラグを、階層毎の訂正フラグ及びエラーフラグに分離し、
それぞれ階層毎に分離された前記訂正フラグ及び前記エラーフラグを取り込み、前記エラーフラグの数は、受信データのフレーム同期信号によりフレーム単位でカウントされ、それぞれ保持され、
前記保持される訂正フラグ及びエラーフラグの数に基づいて、階層毎の伝送品質を決定する
請求項１０記載の受信方法。
【請求項１２】
前記抽出する番組配列情報は、
各コンポーネントデータが、映像データ及び音声データを含むアプリケーションデータのうち、いずれであるかについての情報、および
各コンポーネントデータが、複数の階層品質のうち、いずれであるかについての情報
を含み、
前記要求コンポーネントデータを決定する際には、アプリケーションデータ毎に決定する
請求項１０記載の受信方法。
【請求項１３】
同一のアプリケーションデータにおいて、前記監視された伝送品質が所定以上であるコンポーネントデータが複数存在する場合には、
前記コンポーネントデータの中で最も階層品質が高いコンポーネントデータを、要求コンポーネントデータとする
請求項１２記載の受信方法。
【請求項１４】
前記要求コンポーネントデータを決定する際、
各アプリケーションデータのＮ回目（Ｎは整数）の要求コンポーネントデータの階層が、所定階層品質以上であって、かつ伝送品質が所定以下であるときには、
前記アプリケーションデータのＮ＋１回目の要求コンポーネントデータの階層を所定階層品質以下とする
請求項１２記載の受信方法。
【請求項１５】
前記要求コンポーネントデータを決定する際、
各アプリケーションデータのＮ回目（Ｎは整数）の要求コンポーネントデータの階層が、所定階層品質以下であって、かつ伝送品質が所定以上であるときには、
前記アプリケーションデータのＮ＋１回目の要求コンポーネントデータの階層を所定階層品質以上とする
請求項１２記載の受信方法。
【請求項１６】
前記要求コンポーネントデータを決定する際、
各アプリケーションデータのＮ回目（Ｎは整数）の要求コンポーネントデータの階層が、所定階層品質以下であって、かつ伝送品質が所定以下であるときには、
前記コンポーネントデータの伝送不良の表示を行う
請求項１２記載の受信方法。
【請求項１７】
複数の番組データがぞれぞれ複数のコンポーネントデータから構成され、前記複数のコンポーネントデータが階層毎に多重化されたフレーム構造からなり、伝送方式を規定した制御信号を含む伝送データを受信し、前記受信した伝送データのうち、視聴番組要求に応じた番組の特定のコンポーネントデータの情報源データを抽出する受信装置であって、
前記受信した伝送データを復調する復調手段と、
前記復調した伝送データからフレーム同期信号を抽出する同期信号抽出手段と、
前記抽出したフレーム同期信号に基づいて、前記伝送データから前記制御信号を抽出し、抽出した制御信号から前記伝送データの階層に関する情報を取得する階層情報取得手段と、
前記復調手段により復調された伝送データをビタビ復号するビタビ復号手段と、
前記畳込み復号した伝送データに付加されているリードソロモン符号を用いて、前記伝送データをエラー訂正した伝送系列を出力するリードソロモン復号手段と、
前記伝送データの階層毎の伝送品質を監視する伝送品質監視手段と、
前記視聴番組要求に応じた番組データを復調するように前記復調手段を制御し、前記伝送系列から番組配列情報を抽出し、抽出した番組配列情報及び前記階層毎の伝送品質に基づいて、要求コンポーネントデータを決定するコンポーネントデータ決定手段と、
前記複数のコンポーネントデータから前記決定した要求コンポーネントデータを抽出するコンポーネントデータ抽出手段と、
前記抽出したコンポーネントデータを復号して情報源データを抽出するコンポーネントデータ復号手段と
を有する
受信装置。
【発明の詳細な説明】
【技術分野】
【０００１】
本発明は、衛星波により送信される階層変調信号を受信する受信装置に関する。
【背景技術】
【０００２】
わが国の衛星デジタル放送や地上デジタル放送では、所要Ｃ／Ｎ（Carrier to Noiseのの略で、所要Ｃ／Ｎとは視聴可能な受信品質が得られる受信Ｃ／Ｎをいう）が異なる伝送方式による伝送ストリームを時分割多重して伝送する、いわゆる階層伝送方式が採用されている。
【０００３】
例えば、衛星デジタル放送では、変調方式として８ＰＳＫ方式、ＱＰＳＫ方式、ＢＰＳＫ方式を用いることができるとされている。同様に誤り訂正符号も、内符号として、８ＰＳＫ使用時には符号化率２／３のプラグマティックＴＣＭが用いられ、また、ＱＰＳＫ，ＢＰＳＫ使用時には符号化率１／２，２／３，３／４，５／６，７／８の畳み込み符号が用いられており、外符号として（２０４，１８８）のリードソロモン符号（以降、ＲＳ符号ということがある）が用いられている。
【０００４】
このような変調方式と内符号の符号化率を、伝送ストリームのなかで選択的に変更することにより、階層伝送を実現している。そして、衛星デジタル放送における階層伝送は、降雨減衰が原因で受信Ｃ／Ｎが低下した場合でも番組の受信が不能にならないように、８ＰＳＫ部分で伝送されるＨＤＴＶ（高精細度テレビジョン）などのような高品質情報の復調に代わり、ＱＰＳＫ部分で伝送されるＳＤＴＶ（標準テレビジョン）などのような低品質情報を復調するように、受信ストリーム中の復調部分を選択的に切り替え、同一番組を継続して受信できるようにすることを目的にしている。
【０００５】
例えば、晴天で十分なＣ／Ｎが確保できる地域では，受信機は８ＰＳＫで伝送されてくるＨＤＴＶ品質の主信号部分を選択的に復調するが、激しい降雨の地域では、信号が減衰して十分なＣ／Ｎを確保することができないため、ＱＰＳＫあるいはＢＰＳＫで伝送されてくるＳＤＴＶ品質の情報部分を選択的に復調することで、番組を受信することができる。
このように，わが国の衛星デジタル放送方式では，同一の番組を所要Ｃ／Ｎの異なる変調方式や符号化率で階層伝送し、受信機で選択的に復調することによって場所率や時間率を向上することを特徴としている。
【０００６】
ところで、デジタル伝送では誤り訂正が有効に機能する場合には安定した品質での伝送が可能であるものの、誤り訂正が十分に機能しない劣悪な条件下ではその伝送品質は急激に低下するとの問題がある。
とりわけ、衛星デジタル放送では、受信環境によって階層毎の伝送品質が異なるため、受信機ではどの階層の伝送ストリームを視聴者に提示すべきか正確に制御することが求められる。このための手法として、受信機における誤りが受信電力に依存することから、従来は受信電力を検出し、既知である種々の階層の所要Ｃ／Ｎとの関係から視聴者に提示すべき階層を決定していた。
【０００７】
また、下記特許文献１によれば、階層毎に誤り率をモニタして所定値と比較することにより受信階層を切り換えることが提案されている。
【特許文献１】特開２００２−９８５４号公報
【発明の開示】
【発明が解決しようとする課題】
【０００８】
しかしながら、従来の受信電力検出による階層制御では微小な受信電力を検出することによる誤差も含まれることから正確な制御ができない。誤差の発生要因としては雑音指数（ＮＦ）やアナログ素子値のバラツキ等がある。
また、屋外に設置される受信アンテナと屋内に設置される受信機間の不整合にともなう周波数特性劣化や、干渉妨害波の影響については考慮していないことから、これら劣化要因の存在する環境では、信号レベルのみの検出では精度の高い階層制御ができないとの問題があった。
【０００９】
また、上記特許文献１においては、復調回路出力、ビタビ復号回路出力、ＲＳ復号回路出力等の誤り率を用いるとしているが、具体的な構成については開示されていない。
【００１０】
そこで、本発明の目的は、精度が高い階層制御を実現する受信装置及び受信方法を提供することにある。
【課題を解決するための手段】
【００１１】
上記目的を達成するため、本発明の第１の観点は、複数のコンポーネントデータが階層毎に多重化された番組データを複数含む伝送データを受信し、前記受信した伝送データのうち、視聴番組要求に応じた番組の中から特定のコンポーネントデータを抽出する受信装置であって、前記受信した伝送データを復調する復調手段と、前記復調した伝送データを畳込み復号する畳込み復号手段と、前記畳込み復号した伝送データに付加されているブロック符号を用いて、前記伝送データをエラー訂正した伝送系列を出力するブロック復号手段と、前記伝送データの階層毎の伝送品質を監視する伝送品質監視手段と、前記視聴番組要求に応じた番組データを選択するように前記復調手段を制御し、前記伝送系列から番組配列情報を抽出し、抽出した番組配列情報及び前記階層毎の伝送品質に基づいて、要求コンポーネントデータを決定するコンポーネントデータ決定手段と、前記複数のコンポーネントデータから前記決定した要求コンポーネントデータを抽出するコンポーネントデータ抽出手段とを有する。
【００１２】
前記コンポーネントデータ決定手段が抽出する番組配列情報は、各コンポーネントデータが、映像データ及び音声データを含むアプリケーションデータのうち、いずれであるかについての情報、および各コンポーネントデータが、複数の階層品質のうち、いずれであるかについての情報を含み、前記コンポーネントデータ決定手段は、アプリケーションデータ毎に要求コンポーネントデータを決定する。
【００１３】
また、好適には、同一のアプリケーションデータにおいて、前記伝送品質監視手段に監視された伝送品質が所定以上であるコンポーネントデータが複数存在する場合には、前記コンポーネントデータの中で最も階層品質が高いコンポーネントデータを、要求コンポーネントデータとする。
【００１４】
本発明の第２の観点は、複数のコンポーネントデータが階層毎に多重化された番組データを複数含む伝送データを受信し、前記受信した伝送データのうち、視聴番組要求に応じた番組の中から特定のコンポーネントデータを抽出する受信方法であって、前記受信した伝送データを復調し、前記復調した伝送データを畳込み復号し、前記畳込み復号した伝送データに付加されているブロック符号を用いて、前記伝送データをエラー訂正した伝送系列を出力し、前記伝送データの階層毎の伝送品質を監視し、前記伝送データを復調する際、前記視聴番組要求に応じた番組データを選択するように制御し、前記伝送系列から番組配列情報を抽出し、抽出した番組配列情報及び前記階層毎の伝送品質に基づいて、要求コンポーネントデータを決定し、前記複数のコンポーネントデータから前記決定した要求コンポーネントデータを抽出する。
【００１５】
本発明の第３の観点は、複数の番組データがぞれぞれ複数のコンポーネントデータから構成され、前記複数のコンポーネントデータが階層毎に多重化されたフレーム構造からなり、伝送方式を規定した制御信号を含む伝送データを受信し、前記受信した伝送データのうち、視聴番組要求に応じた番組の特定のコンポーネントデータの情報源データを抽出する受信装置であって、前記受信した伝送データを復調する復調手段と、前記復調した伝送データからフレーム同期信号を抽出する同期信号抽出手段と、前記抽出したフレーム同期信号に基づいて、前記伝送データから前記制御信号を抽出し、抽出した制御信号から前記伝送データの階層に関する情報を取得する階層情報取得手段と、前記復調手段により復調された伝送データをビタビ復号するビタビ復号手段と、前記畳込み復号した伝送データに付加されているリードソロモン符号を用いて、前記伝送データをエラー訂正した伝送系列を出力するリードソロモン復号手段と、前記伝送データの階層毎の伝送品質を監視する伝送品質監視手段と、前記視聴番組要求に応じた番組データを復調するように前記復調手段を制御し、前記伝送系列から番組配列情報を抽出し、抽出した番組配列情報及び前記階層毎の伝送品質に基づいて、要求コンポーネントデータを決定するコンポーネントデータ決定手段と、前記複数のコンポーネントデータから前記決定した要求コンポーネントデータを抽出するコンポーネントデータ抽出手段と、前記抽出したコンポーネントデータを復号して情報源データを抽出するコンポーネントデータ復号手段とを有する。
【００１６】
本発明の第１の観点に係る受信装置によれば、番組が映像や音声などの複数のコンポーネントを含み、それらのコンポーネントデータを階層毎に多重化された番組データを複数含む伝送データを受信して、復調手段によりその伝送データを復調し、復調した伝送データを畳込み復号手段により畳込み復号し、さらにブロック復号手段が、畳込み復号した伝送データに付加されているブロック符号を用いて、前記伝送データをエラー訂正した伝送系列を出力する。
【００１７】
ブロック復号手段がエラー訂正処理過程で生成するエラー情報に基づいて、伝送品質監視手段は、階層毎、すなわちコンポーネントデータ毎の伝送品質を監視し、その結果をコンポーネントデータ決定手段に通知する。コンポーネントデータ決定手段は、各コンポーネントデータの伝送品質を受けるとともに、ブロック復号手段が出力する伝送系列から番組配列情報を抽出する。番組配列情報は、各コンポーネントデータが、映像データ及び音声データを含むアプリケーションデータのうち、いずれのデータであるかについての情報、および各コンポーネントデータが、複数の階層品質のうち、いずれであるかについての情報を含んでいる。また、コンポーネントデータ決定手段は、外部から視聴番組要求を受けており、この視聴番組要求に応じた番組が選択されるように、復調手段を制御する。
【００１８】
コンポーネントデータ決定手段は、取得した視聴番組要求に応じた番組に含まれる各コンポーネントデータの属性（映像／音声／データ等）とその階層品質及び伝送品質に基づいて、視聴番組要求に応じた最適なコンポーネントデータを決定し、要求コンポーネントデータとしてコンポーネントデータ抽出手段に供給する。
コンポーネントデータ抽出手段は、コンポーネントデータ決定手段から供給された要求コンポーネントデータを、ブロック復号手段が出力する伝送系列から抽出する。
【発明の効果】
【００１９】
本発明によれば、インサービス信号から各階層の伝送品質を直接検出できるので、視聴者から要求された番組を提示する場合に各階層の伝送品質を考慮して最も高品質な階層での番組提示が可能となる。
【発明を実施するための最良の形態】
【００２０】
以下、本発明に係る受信装置の実施形態について説明する。
図１は、実施形態における衛星デジタル放送の受信回路１のブロック図である。
図１に示すとおり、受信装置１は、受信アンテナ２と、高周波信号処理部３と、復調部４と、ビタビ復号部５と、ＲＳ復号部６と、同期信号処理部７と、ＴＭＣＣ復号部８と、伝送品質監視部９と、階層制御部１０と、階層分離部１１と、アプリケーション復号部１２−１〜１２−Ｎとを備えて構成されている。
【００２１】
ここで、復調部４が、本発明に係る受信装置の復調手段に対応する。
ビタビ復号部５が、本発明に係る受信装置の畳込み復号手段に対応する。
ＲＳ復号部６が、本発明に係る受信装置のブロック復号手段に対応する。
同期信号処理部７が、本発明に係る受信装置の同期信号抽出手段に対応する。
伝送品質監視部９が、本発明に係る受信装置の伝送品質監視手段に対応する。
階層制御部１０が、本発明に係る受信装置のコンポーネントデータ決定手段に対応する。
階層分離部１１が、本発明に係る受信装置のコンポーネントデータ抽出手段に対応する。
以下、受信装置１の構成について説明する。
【００２２】
受信アンテナ２は、衛星から伝送データを受信するアンテナである。
ここで、受信アンテナ２が受信する伝送データは、映像データや音声データなどの複数のコンポーネントデータが変調され多重化されたフレーム構造の伝送系列（以下、トランスポートストリームまたはＴＳと呼ぶことがある）である。従って、複数の番組を受信する場合、各番組に含まれる複数のコンポーネントデータがそれぞれ階層毎に多重化されている。
具体的には、映像データであればＨＤＴＶやＳＤＴＶ等、音声データであれば５．１Ｃｈや２Ｃｈ等、また字幕データもコンポーネントデータとして多重化されている。
【００２３】
ＴＳの基本単位は２０４バイト長のＴＳパケットであり、各階層のデータは複数のＴＳパケットで構成され、また、伝送データの１フレームは所定のＴＳパケット数で構成される。
また、伝送データの各フレームには、フレーム同期信号及びＴＭＣＣ信号が挿入されている。ＴＭＣＣ（Transmission and Multiplexing Configration Control）信号は、各階層の変調方式、符号化率等の伝送方式を規定した伝送多重構成制御信号であり、これにより、受信装置１では所望の階層のデータを抽出することができる。
【００２４】
高周波信号処理部３は、入力信号に対し、増幅、周波数変換、フィルタリング等の信号処理を行う。これにより、例えば１２ＧＨｚの衛星放送データが所定の中間周波数に変換される。
復調部４は、入力信号をベースバンド信号に復調する。
ビタビ復号部５は、送信側で施された畳み込み符号の復号を行う。
ＲＳ復号部６は、２０４バイトからなるＲＳブロック単位で、ビタビ復号部５の畳み込み復号結果を、後述するＲＳ復号アルゴリズムに基づいてＲＳ復号し、ＲＳブロック内に存在するエラ−バイトを訂正した伝送系列を出力する。この伝送系列には、番組配列やその構成に関する情報が多重されている。
【００２５】
同期信号処理部７は、復調された信号系列からユニークワードにて伝送される伝送信号のフレーム構造基準であるフレーム同期信号を抽出する。
ＴＭＣＣ復号部８は、フレーム同期信号に基づいて、畳み込み復号後のＴＭＣＣ信号を抽出し、さらに外符号として施されているＲＳ復号処理を行うことにより、ＴＭＣＣ信号として伝送されてきた情報を入手する。
この得られた情報により、伝送フレームのどの階層がどのような変調方式、符号化率で変調されているかを認識することができるため、ビタビ復号部５において、メトリック発生やパンクチャッドパラメータ設定などを行うことにより階層伝送の復号処理が可能となる。
【００２６】
伝送品質監視部９は、ＲＳ復号部６から供給される訂正フラグおよびエラーフラグに基づいて、伝送フレーム毎に各階層の訂正フラグおよびエラーフラグを抽出することにより、受信状態を監視する。
伝送品質監視部９の具体的な構成について、図２を用いて説明する。
【００２７】
図２は、図１における伝送品質監視部９のブロック図である。
図２に示すとおり、、伝送品質監視部９は、デマルチプレクサ９１と、複数の階層データ処理部９２−１〜９２−Ｎとを有し、階層データ処理部９２−１は、訂正フラグ格納レジスタ９２１と、誤り計数部９２２と、誤り計数結果格納レジスタ９２３とを備えて構成される。他の階層データ処理部９２−２〜Ｎも、階層データ処理部９２−１と同じ構成を有している。
ここでは、１フレームに階層１から階層ＮまでＮ個の階層が存在するとして、上記の複数の階層データ処理部９２−１〜９２−Ｎが、それぞれの階層のデータ処理を担当する。  
【００２８】
デマルチプレクサ９１は、ＲＳ復号部６から訂正フラグＣＩ＿Ｆｌａｇ及びエラーフラグＥＲ＿Ｆｌａｇとを入力し、ＴＭＣＣ復号部８からの階層に関する情報ＨＩＣに基づいて階層毎に分離する。
階層データ処理部９２−１〜９２−Ｎは、同一の構成であるため、階層データ処理部９２−１について、その構成を説明する。
訂正フラグ格納レジスタ９２１は、デマルチプレクサ９１により分離された階層１の訂正フラグＣＩ＿Ｆｌａｇを保持する。
誤り計数部９２２は、デマルチプレクサ９１により分離された階層１のエラーフラグＥＲ＿Ｆｌａｇを、カウントする。図３に示すとおり、誤り計数部９２２は、フレーム同期信号ＳＹＮＣを取り込み、フレーム同期信号ＳＹＮＣによりカウント値がリセットされる。従って、誤り計数部９２２は、フレーム単位で階層１のエラーフラグＥＲ＿Ｆｌａｇを積算する。
誤り計数結果格納レジスタ９２３は、誤り計数部９２２によりカウントしたフレーム単位のカウント値を、フレーム同期信号ＳＹＮＣに同期したタイミングで取り込んで、保持する。
以上、伝送品質監視部９の構成について説明した。
【００２９】
階層制御部１０は、ユーザ等から視聴番組要求ＵＳＲを受け、その視聴番組要求に応じた番組を選択するように、復調部４を制御する。また、ＲＳ復号部６から供給される伝送系列から、番組配列情報を取得する。
さらに、階層制御部１０は、伝送品質監視部９から各階層の伝送品質情報が供給されている。従って、これらの情報から階層制御部１０では、番組を構成する複数の階層で伝送されてくる各コンポーネント（映像、音声、文字、データ）の伝送品質を把握することができる。
階層制御部１０は、視聴番組要求ＳＴＲと番組情報を比較してどのコンポーネントデータを視聴者に提示すべきかを決定するが、この決定に当たっては上述の各コンポーネントデータの伝送品質を考慮して行う。
【００３０】
例えば、視聴者の要求したある番組が、コンポーネントデータとして、８ＰＳＫの階層でＨＤＴＶ品質の映像と５．１Ｃｈマルチステレオ音声を伝送し、ＱＰＳＫを用いた階層でＳＤＴＶ品質の映像と２Ｃｈステレオ音声を伝送していたとする。
この場合、階層制御部１０は、８ＰＳＫ階層およびＱＰＳＫ階層の伝送品質がともに良好の場合には、８ＰＳＫ階層で伝送されたＨＤＴＶ品質映像と５．１Ｃｈステレオ音声のコンポーネントデータを選択し、また、ＱＰＳＫ階層の伝送品質は良好であるものの８ＰＳＫ階層の伝送品質が不良である場合には、ＱＰＳＫ階層で伝送されたＳＤＴＶ品質映像と２Ｃｈステレオ音声のコンポーネントデータを選択して、要求コンポーネントデータとして、信号Ｓ１０を階層分離部１１に供給する。
【００３１】
階層分離部１１は、階層制御部１０により決定された視聴者に提示すべきコンポーネントデータを、ＲＳ復号部６が出力する伝送系列から分離して抽出する。
アプリケーション復号部１２−１〜１２−Ｎは、階層分離部１１により分離された映像や音声等のコンポーネントデータを復号して、映像や音声等の情報源が視聴者に提示される。例えば、ＭＰＥＧ２デコーダ等が、アプリケーション復号部に相当する。
【００３２】
次に、受信装置１の動作について、図１に従って説明する。
高周波信号処理部３には、受信アンテナ２により受信された伝送データがＲＦ信号として入力される。高周波信号処理部３は、入力されたＲＦ信号の増幅、周波数変換、フィルタリング等を行い、ＩＦ信号Ｓ３を出力する。出力されたＩＦ信号Ｓ３は、復調部４に供給される。
復調部４は、ＩＦ信号Ｓ３をベ−スバンド信号に復調して、その出力信号Ｓ４をビタビ復号部５及び同期信号処理部７に供給する。
【００３３】
ビタビ復号部５では、復調部４により復調された信号Ｓ４に対し、送信側で施された畳み込み符号の復号を行って、復号された信号Ｓ５をＲＳ復号部６及びＴＭＣＣ復号部８に供給する。
ＲＳ復号部６では、２０４バイトからなるＲＳブロック単位で、ビタビ復号部５の畳み込み復号結果である信号Ｓ５をＲＳ復号し、ＲＳブロック内に存在するエラ−バイトを訂正した伝送系列を出力する（信号Ｓ６）。
出力された伝送系列は、階層分離部１１に供給される（信号Ｓ１０）。
【００３４】
ここで、本実施形態のようなデジタル衛星放送で用いられているＲＳ符号は、１６パリティバイトを情報に付加した（２５５, ２３９）のＲＳ符号を短縮化した（２０４, １８８）の構造を有している。
ＲＳ復号部６では、誤り訂正能力として２０４バイトの符号中に存在する８バイトまでの誤りを訂正することができる。また、２０４バイトで構成される符号の中に９バイト以上の誤りが存在するときには訂正することができないが、９バイト以上誤りが存在することを検出することができる。
【００３５】
また、ＲＳ符号の復号は、以下のようなアルゴリズムで行われる。
ステップ１：  誤りが付加されている受信符号語からシンドロームを計算する。
ステップ２：  誤り位置多項式係数を求める。
ステップ３：  誤りパターンを求める。
ステップ４：  受信符号語から誤りパターンを減算する。
【００３６】
ＲＳ復号アルゴリズムでは、誤り位置多項式を解く際（ステップ３）に、１ＲＳブロック（２０４バイト）中のどの位置のバイトにエラーが発生しているかを特定している。
すなわち、ＲＳ復号部６では、この誤り位置多項式を解くことによって得られるエラー位置情報、つまり、１ＲＳブロック中のどのバイト位置にエラーがあったかを特定する情報（以下、エラーフラグＥＲ＿Ｆｌａｇという）を、各ブロック毎に検出し、伝送品質監視部９に供給している。
【００３７】
また、前述のとおり、ＲＳ復号アルゴリズムでは、１ＲＳブロック（２０４バイト）中に９バイト以上のエラーバイトが存在していると、そのＲＳブロックを訂正することができないが、そのブロックのエラーを訂正できないこと、つまり、９バイト以上のエラーバイトが存在していることが検出することができる。ＲＳ復号部６は、１ブロック内に９バイト以上のエラーバイトが存在して、誤り訂正能力を越える誤りがブロック内に存在する場合には、エラーフラグＥＲ＿Ｆｌａｇを、伝送品質監視部９に供給する。
【００３８】
このように、ＲＳ復号部６では、ＲＳ復号結果を信号系列として信号Ｓ６を出力するとともに、訂正フラグＣＩ＿ＦｌａｇとエラーフラグＥＲ＿Ｆｌａｇを伝送品質監視部９に出力する。ここで、ＲＳブロックが訂正不能であるときには、訂正フラグＣＩ＿ＦｌａｇはＨレベル（１）となり、そうでない場合はＬレベル（０）となる。また、エラーバイトが存在するときは、そのバイトに応じたタイミングでエラーフラグＥＲ＿ＦｌａｇはＨレベル（１）となり、存在しないときはＬレベル（０）となる。
【００３９】
同期信号処理部７では、復調部４で復調された信号Ｓ４から，ユニークワードにて伝送される伝送信号のフレーム構造基準であるフレーム同期信号ＳＹＮＣを抽出する。フレーム同期信号を抽出することにより、ＴＭＣＣ信号の伝送位置を特定することができる。
ＴＭＣＣ復号部８では、このフレーム同期基準を用いて、畳み込み復号後のＴＭＣＣ信号を抽出し、さらに外符号として施されているＲＳ復号処理を行ってＴＭＣＣ信号で伝送されてきた情報を入手する。前述のとおり、ＴＭＣＣ信号は、伝送フレームの各階層の伝送方式、例えば変調方式や階層構造、符号化率などを規定した信号であり、これにより階層に関する情報ＨＩＣが得られる。
ＴＭＣＣ復号部８は、この階層に関する情報ＨＩＣを伝送品質監視部９に供給する。
さらに、ＴＭＣＣ復号部８は、フレーム同期信号ＳＹＮＣを伝送品質監視部９に供給するが、同期信号処理部７から直接、伝送品質監視部９に供給してもよい。
【００４０】
伝送品質監視部９には、ＴＭＣＣ復号部８からフレーム同期信号ＳＹＮＣとともに階層に関する情報である信号Ｓ８が供給されているため、ＲＳ復号部６からの訂正フラグＣＩ＿ＦｌａｇおよびエラーフラグＥＲ＿Ｆｌａｇがどの階層であるかを認識することが可能である。
伝送品質監視部９は、ＴＭＣＣ復号部８から供給されるフレーム同期信号ＳＹＮＣ及び階層に関する情報である信号Ｓ８に基づいて、ＲＳ復号部６からの訂正フラグＣＩ＿ＦｌａｇおよびエラーフラグＥＲ＿Ｆｌａｇを階層毎に分離し、フレーム単位でエラーフラグＥＲ＿Ｆｌａｇをカウントする。そして、訂正フラグＣＩ＿ＦｌａｇとカウントしたエラーフラグＥＲ＿Ｆｌａｇを保持する。
従って、保持するこれらの値は、ＲＳ復号におけるバイト訂正可否及びフレーム単位のバイト訂正数を意味することになるため、伝送データの伝送状態の指標として捉えることが可能である。
【００４１】
次に、伝送品質監視部９の動作について、図３を用いて説明する。
デマルチプレクサ９１は、ＲＳ復号部６から順次供給される訂正フラグＣＩ＿Ｆｌａｇ及びエラーフラグＥＲ＿Ｆｌａｇを、階層に関する情報ＨＩＣに基づいて階層毎の訂正フラグＣＩ＿Ｆｌａｇ及びエラーフラグＥＲ＿Ｆｌａｇに分離する。
訂正不能である場合には、訂正フラグＣＩ＿ＦｌａｇはＨレベル（１）であり、そうでない場合はＬレベル（０）のデータが、デマルチプレクサ９１に入力される。
また、エラーバイトが存在する場合には、ＲＳブロック中のそのタイミングでエラーフラグＥＲ＿ＦｌａｇはＨレベル（１）となり、そうでない場合はＬレベル（０）のデータが、デマルチプレクサ９１に入力される。
このようなデータが順次ＲＳ復号部６から供給される。
【００４２】
デマルチプレクサ９１では、ＴＭＣＣ復号部８から階層伝送を規定した制御信号（ＴＭＣＣ信号）に基づいた階層に関する情報ＨＩＣが供給されているので、ＲＳ復号部６からの上記フラグの信号系列を階層毎に分離することが可能である。
【００４３】
階層データ処理部９２−１は、図３に示すとおり、デマルチプレクサ９１により分離された階層１の訂正フラグＣＩ＿Ｆｌａｇである信号Ｓ９１＿１と、階層１のエラーフラグＥＲ＿Ｆｌａｇである信号Ｓ９１＿２とを取り込む。
階層１の訂正フラグＣＩ＿Ｆｌａｇである信号Ｓ９１＿１は、訂正フラグ格納レジスタ９２１で保持される。図３に示すとおり、訂正フラグ格納レジスタ９２１は、フレーム同期信号ＳＹＮＣを取り込まない。従って、一度訂正フラグＣＩ＿Ｆｌａｇが１（訂正不能）となると、次のフレームにおいてもその値が保持される。
【００４４】
ここで、訂正フラグ格納レジスタ９２１が、フレーム同期信号ＳＹＮＣによりリセットされないのは、エラー訂正不能である場合には受信状態が非常に悪いと考えられるため、一度訂正フラグＣＩ＿Ｆｌａｇが１となった場合には、その値を保持することとしているためである。
【００４５】
階層１のエラーフラグＥＲ＿Ｆｌａｇである信号Ｓ９１＿２は、誤り計数部９２２に取り込まれ、カウントされる。既に述べたとおり、ＲＳ復号部６においてＲＳ復号アルゴリズムは、各ＲＳブロックに対して９バイト以上のデータを訂正することができないため、誤り計数部９２２におけるカウント値は０〜８×ｎ（ｎ：１フレームに含まれるＲＳブロックの数）までの値をとり得る。
誤り計数結果格納レジスタ９２３は、誤り計数部９２２でカウントした値を信号Ｓ９２２として取り込み、その値を保持する。
【００４６】
以上のような階層データ処理部９２−１の動作が各階層について行われる結果、階層データ処理部９２−１〜９２−Ｎの訂正フラグ格納レジスタ及び誤り計数結果格納レジスタの各レジスタに、各階層のエラー情報が保持される。
このように、各階層毎に、伝送フレーム単位でエラーフラグＥＲ＿Ｆｌａｇを積算することにより、各階層のフレーム単位の訂正バイト数をモニタすることが可能となるため、各階層に多重された番組の各コンポーネントデータの伝送状態を把握することが可能となる。
【００４７】
次に、階層制御部１０の動作について添付図面を参照して説明する。
図３は、階層制御部１０の制御動作を説明するためのブロック図である。
図３において、階層制御部１０は、セレクタ１０１と、階層情報取得部１０２と、セレクタ１０３と、コンポーネントデータ提示部１０４とから構成される。そして、Ｐ１〜Ｐｎはそれぞれ衛星から受信装置１が受信する伝送データに含まれる複数の番組データであり、それぞれＶｉｄｅｏ１〜３，Ａｕｄｉｏ１〜３，Ｄａｔａ１〜３といったコンポーネントデータから構成されている。
【００４８】
階層制御部１０は、セレクタ１０１において、視聴番組要求ＵＳＲを受けると、どの番組のどのコンポーネントを視聴者に提示するかを決定するため、復調部４の局発周波数を制御するとともに、復調出力の時分割多重されているビットストリームから所望の伝送系列を抽出することによって番組を選択する。
例えば、図３に示したセレクタ１０１においては、視聴番組要求ＵＳＲに基づいて番組Ｐｋが選択されている。
【００４９】
また、階層制御部１０の階層情報取得部１０２では、ＲＳ復号部６からの伝送系列信号Ｓ６に多重されている番組配列情報から、各ＴＳのコンポーネントデータを知ることができる。
すなわち、番組Ｐｋは、コンポーネントデータ構成はＶｉｄｅｏ１〜３, Ａｕｄｉｏ１〜４，Ｄａｔａ１の各コンポーネントデータで構成されたＴＳであり、Ｖｉｄｅｏ１はＨＤＴＶの主映像、Ｖｉｄｅｏ２はＳＤＴＶの主映像、Ｖｉｄｅｏ３はＳＤＴＶ副映像であり、Ａｕｄｉｏ１は５．１Ｃｈマルチステレオ、Ａｕｄｉｏ２は２Ｃｈステレオ、Ａｕｄｉｏ３はモノラル、Ａｕｄｉｏ４は副音声であることを知ることができる。
【００５０】
また、伝送品質監視部９において、伝送されてくる全ストリームからそれぞれの階層毎にその伝送品質を監視しているので、その出力信号Ｓ９に基づいて、階層情報取得部１０２は各コンポーネントデータの伝送品質を知ることができる。
【００５１】
なお、伝送品質監視部９の出力信号Ｓ９は、すでに説明した伝送品質監視部９における各階層の訂正フラグ格納レジスタ及び誤り計数結果格納レジスタの各レジスタ値から構成される。
【００５２】
階層情報取得部１０２では、◎，○，×と記載されているとおり、伝送品質監視部９の出力信号Ｓ９に基づいて、伝送品質のグループ化を行っている。
◎は伝送品質が非常に良好であることを示しており、○は伝送品質が良好であることを示しており、また、×は伝送品質が不良であることを示している。
例えば、ある階層において、訂正不能レジスタＣＩ＿ＲＥＧが１である場合には、その階層におけるコンポーネントデータは訂正不能であるため、伝送品質は×とする。また、訂正不能レジスタＣＩ＿ＲＥＧが０であって、エラーレジスタＥＲ＿ＲＥＧが０〜ｎの場合は伝送品質を◎とし、エラーレジスタＥＲ＿ＲＥＧがｎより大きい場合は、伝送品質を○とする。
【００５３】
このように、階層情報取得部１０２において伝送品質監視部９の出力信号Ｓ９に基づいて、各コンポーネントデータの伝送品質をグループ化することができる。
もちろん、グループ化を伝送品質監視部９で行って、グループ化されたデータを階層制御部１０が受けるようにしてもよい。
【００５４】
以上のとおり、階層情報取得部１０２によりＴＳのコンポーネントデータの構成及び伝送品質を知った後、セレクタ１０３では、視聴者が主映像と主音声の提示を求めているのかそれとも副映像と副音声の提示を求めているのかなど視聴者の要求にしたがって、視聴者に提示すべきコンポーネントデータを選択する。
ここで、視聴者が、例えば番組Ｐｋの主映像と主音声を選択した場合でも、複数の主映像と主音声がコンポーネントデータとして多重されているので、このような場合には、各コンポーネントデータの伝送誤り率を基準に選択する。すなわち、伝送品質監視部９では、訂正不能レジスタＣＩ＿ＲＥＧ及びエラーレジスタＥＲ＿ＲＥＧは、フレーム単位で伝送データの階層毎に求められているので、各コンポーネントデータの伝送誤り率としてとらえることが可能である。
【００５５】
次に、階層制御部１０の動作について、フローチャートを用いて説明する。
図４は、階層制御部１０及び関連する他の部分の動作を説明するためのフローチャートである。
【００５６】
図４において、ステップＳＴ４０では視聴者制御入力監視を常に行い、入力があった場合にはステップＳＴ４１に進む。
ステップＳＴ４１において、例えば視聴者等から新たな番組選択入力があった場合、すなわち、視聴番組要求ＵＳＲによって、現在視聴者が視聴している番組が更新された場合には、ステップＳＴ４２に進む。
【００５７】
ステップＳＴ４２においては、視聴番組要求ＵＳＲにより番組選択要求があった場合に、その番組を伝送する周波数を選択するために、局部発振周波数を制御してチューニングを行い、ステップＳＴ４３において、復調部４が選択要求された番組を復調する。
【００５８】
次に、ステップＳＴ４３で復調された信号に基づいて、ステップＳＴ４４では、ＴＭＣＣ復号部８により復調された信号に挿入されているＴＭＣＣ信号が解読され、すでに伝送品質監視部９の動作について説明したように、ステップＳＴ４５において各階層つまり各コンポーネントデータの伝送品質の監視が行われる。
【００５９】
一方、ステップＳＴ４３で復調された信号は、ビタビ復号部５およびＲＳ復号部６においてそれぞれビタビ復号およびリードソロモン復号される。
ステップＳＴ４６において、階層制御部１０は、視聴番組要求ＵＳＲに基づいてＲＳ復号部６のＴＳ出力から所望のＴＳを抽出する（ステップＳＴ４６）とともに、抽出したＴＳ中に多重されている番組配列情報を解読する（ステップＳＴ４７）。
【００６０】
ステップＳＴ４８においては、ステップＳＴ４５で行われた伝送品質監視結果及びステップＳＴ４７で行われた番組配列情報の解読結果に基づいて、視聴者が選択したＴＳにコンポーネントデータの構成及びその伝送品質に関する情報を作成する。これは、図３における階層情報取得部１０２に相当し、伝送品質◎，○，×の定義も図３と同様である。
【００６１】
そして、ステップＳＴ４９においては、ステップＳＴ４８で作成したコンポーネントデータ情報に基づいて、視聴者の提示要求に合致する最適のコンポーネントデータを選択し出力する。
なお、ここで行われる最適なコンポーネントデータの選択は、ステップＳＴ４１において視聴者からの番組選択が更新されなければ行われないわけではなく、自動的に選択がなされる。
例えば、同一の番組においても、ＳＤＴＶ等の低品質の映像データからＨＤＴＶ等の高品質の映像データへの変更、またはＨＤＴＶ等の高品質の映像データＳＤＴＶ等の低品質の映像データへの変更が行われる。
ステップＳＴ４９で行われる制御については、後述する。
【００６２】
次に、図４のステップＳＴ４９で行われるコンポーネントデータ選択の制御について、フローチャートを用いて説明する。
図５は、コンポーネントデータ選択の制御について説明するためのフローチャートである。
【００６３】
まず、ステップＳＴ５０において、現在階層分離部１１に出力している要求コンポーネントデータの階層が、高品質階層であるか低品質階層であるかを判断する。
もし、現在の要求コンポーネントデータが高品質階層であれば、その高品質伝送階層の伝送品質をステップＳＴ５１で判断する。
【００６４】
伝送品質が良好である場合は、視聴者にとって快適であるため、そのまま高品質階層を要求コンポーネントデータとする。
ステップＳＴ５１で伝送品質が不良と判断された場合には、ステップＳＴ５２において要求コンポーネントデータを高品質階層から低品質階層に切り替える。
【００６５】
一方、ステップＳＴ５０において、現在の要求コンポーネントデータが低品質階層のコンポーネントであると判断したときは、その低品質伝送階層の伝送品質をステップＳＴ５３で判断する。
【００６６】
ステップＳＴ５３において、その低品質階層の伝送品質が不良の場合には、視聴者に番組を提示することが不可能であるので、ステップＳＴ５５により、伝送状態が不良であるために番組を提示できないことを視聴者に通知する。
この場合には、受信装置１にさらに伝送状態を視聴者に通知するための表示装置が必要となることは言うまでもない。
【００６７】
ステップＳＴ５３において、低品質階層の伝送品質が良好である場合には、さらに高品質階層の伝送品質をステップＳＴ５４で判断する。
ステップＳＴ５４において、高品質階層の伝送品質が良好と判断した場合には、ステップＳＴ５６で要求コンポーネントデータを高品質階層に切り替える。
【００６８】
また、ステップＳＴ５４において、高品質伝送階層の伝送品質が不良の場合には、低品質階層のコンポーネントデータは伝送可能であるものの、高品質階層のコンポーネントデータは伝送できないことから、要求コンポーネントデータは切り替えずに、そのまま低品質階層とする。
【００６９】
以上の手順によれば、現在高品質コンポーネントで視聴者に番組を提示しているときに天候等により伝送状態が劣化し、高品質階層での伝送が困難になった場合には受信機は速やかに低品質階層での番組提示を開始することができる。
さらに、現在低品質階層を受信している場合にも、低品質階層のみならず高品質階層の伝送品質も監視しているために、高品質階層の伝送品質が回復したときには、速やかに視聴者に対して高品質階層で番組を提示することが可能である。
【００７０】
また、映像データや音声データ等をアプリケーションデータと定義すると、以上のフローチャートの動作は、アプリケーションデータ毎に行われることは言うまでもない。映像データの例で言えば、高品質階層は図４のステップＳＴ４８においてＶｉｄｅｏ１のＨＤＴＶであり、低品質階層は図４のステップＳＴ４８においてＶｉｄｅｏ２，３のＳＤＴＶであり、これらのいずれかが図５のフローチャートに従って映像データの要求コンポーネントデータとなる。
【００７１】
以上、図５を用いて、階層制御部１０において行われるコンポーネントデータ選択の制御のフローチャートについて説明した。
なお、図５のフローチャートは本実施形態に拘泥せず、様々な変更が可能である。
【００７２】
図５のフローチャートにおいては、伝送品質が良好である場合と不良である場合に分けて処理を分岐させているが、良好及び不良について定量的に定義させることができる。
例えば、図４のステップＳＴ４８において、伝送品質監視部９の出力信号Ｓ９に基づき、各コンポーネントデータの伝送品質を◎，○，×の３通りにグループ化しているが、図５のフローチャートの「良好」を伝送品質が◎，○である場合と定義し、また「不良」を伝送品質が×である場合と定義することができる。
【００７３】
また、図４のステップＳＴ４８において伝送品質監視部９から入力する上記信号Ｓ９に含まれている各階層のエラーレジスタＥＲ＿ＲＥＧは、ＲＳ復号部６において誤り訂正可能な０〜８×ｎの値をとるため、図４のステップＳＴ４８の例で示した◎，○，×の３通りよりもさらに細かく定量化することが可能である。
従って、図５のフローチャートにおける伝送品質の良好及び不良について、「良好」を伝送品質が所定値以上である場合と定義し、また「不良」を伝送品質が所定値以下である場合と定義することもできる。
【００７４】
また、図５のフローチャートにおいては、階層品質が低品質である場合と高品質である場合とで処理を分岐させているが、複数の階層品質に対応した処理を行うように変形することができる。
例えば、複数の階層品質がある場合に、所定伝送品質以上のコンポーネントデータの中から最も階層品質が高いコンポーネントデータに切り換えることができる。
【００７５】
この場合、図５のステップＳＴ５２において、階層品質を順に下げ、その都度ステップＳＴ５１にフローを戻して逐次伝送品質を確認し、伝送品質が所定値以上になるまで繰り返す。伝送品質が所定値以上となった場合に、階層品質を固定する。
また、同様に図５のステップＳＴ５６においても、階層品質を順に上げ、その都度ステップＳＴ５３にフローを戻して逐次伝送品質を確認し、伝送品質が所定値以上である限り繰り返す。伝送品質が所定値以下になった場合に、階層品質を固定する。この場合、ステップＳＴ５４は必ずしも必要ない。
このようにして、所定伝送品質以上のコンポーネントデータの中から、最も階層品質の高い要求コンポーネントデータを自動選択することが可能となる。
【００７６】
以上、受信装置１の階層制御部１０の動作について説明した。
階層分離部１１は、上述の通り階層制御部１０により決定された視聴者に提示すべき要求コンポーネントデータを、ＲＳ復号部６のＴＳから分離して抽出する。
アプリケーション復号部１２−１〜１２−Ｎは、階層分離部１１により分離された例えば映像等の要求コンポーネントデータを復号して、映像や音声等の情報源が視聴者に提示される。例えば、ＭＰＥＧ２デコーダ等がアプリケーション復号部に相当する。
【００７７】
以上受信装置１の動作について説明した。
以上説明したように、本実施形態における受信装置１によれば、映像・音声といった複数のコンポーネントデータが階層毎に多重化された番組データを複数含む伝送データを受信して、復調部４により復調される。ここでは、視聴者等からの視聴番組要求ＵＳＲに基づいて、階層制御部１０により特定の番組が選択されて復調される。そして、復調した伝送データをビタビ復号手段によりビタビ復号し、さらに、ビタビ復号した伝送データに付加されているリードソロモン符号を用いて、ＲＳ復号部６において伝送データのエラー訂正を行う。
一方、復調部４により復調された伝送データから、同期信号処理部７がフレーム同期信号ＳＹＮＣを抽出し、ＴＭＣＣ復号部８が、抽出したフレーム同期信号ＳＹＮＣに基づいて、伝送データからＴＭＣＣ信号を抽出し、抽出したＴＭＣＣ信号から伝送データの階層に関する情報ＨＩＣを取得する。
【００７８】
伝送品質監視部９は、ＲＳ復号部６によるエラー訂正処理過程で生成される訂正情報、すなわち、誤り検出可能か否かを示す訂正フラグＣＩ＿Ｆｌａｇと、ビット又はバイト単位で誤り検出をしたときに生成するエラーフラグＥＲ＿Ｆｌａｇから、フレーム同期信号ＳＹＮＣ及び前記階層に関する情報ＨＩＣに基づいて、階層毎にこれらのフラグを分離し、階層毎の訂正フラグを保持し、またフレーム単位で階層毎のエラーフラグの数をカウントして保持する。選択された番組の各コンポーネントデータは階層毎に伝送データに多重されているため、ここで保持される訂正フラグとエラーフラグの数は、各コンポーネントデータの伝送品質を表す。
【００７９】
さらに、階層制御部１０においては、ＲＳ復号部６から供給されるトランスポートストリームＴＳから、番組配列情報を取得し、伝送品質監視部９から各コンポーネントデータの伝送品質に関する情報及び視聴番組要求ＵＳＲを受けているため、選択された番組の各コンポーネントデータの階層品質や伝送品質を随時把握することが可能となり、現在の伝送品質における最適なコンポーネントデータを決定して、要求コンポーネントデータとして階層分離部１１に供給する。
階層分離部１１では、ＲＳ復号部６からのトランスポートストリームＴＳから階層制御部１０が決定した要求コンポーネントデータを抽出し、アプリケーション復号部１２では、抽出されたコンポーネントデータを復号して原映像等の情報源を抽出する。
【００８０】
従って、受信装置１によれば、視聴者が選択した番組の映像や音声等の階層品質が複数存在する場合に、視聴者が視聴している映像や音声等の階層だけでなく、他の階層の伝送品質も随時モニタしているため、視聴者に最適な階層品質の映像や音声等を提供することが可能となる。
【図面の簡単な説明】
【００８１】
【図１】実施形態における受信装置のブロック図である。
【図２】実施形態における受信装置の伝送品質監視部のブロック図である。
【図３】実施形態における受信装置の階層制御部のブロック図である。
【図４】実施形態における受信装置の階層制御部の動作を説明するためのフローチャートである。
【図５】実施形態における受信装置の階層制御部の動作を説明するためのフローチャートである。
【符号の説明】
【００８２】
１，１ａ…受信装置、２，２ａ…受信アンテナ、３，３ａ…高周波信号処理部、４，４ａ…復調部、５，５ａ…ビタビ復号部、６，６ａ…ＲＳ復号部、７，７ａ…同期信号処理部、８…ＴＭＣＣ復号部、９，９ａ…伝送品質監視部９、９１…デマルチプレクサ、９２−１〜９２−Ｎ…階層データ処理部、９２１…訂正フラグ格納レジスタ、９２２…誤り計数部、９２３…誤り計数結果格納レジスタ、１０…階層制御部、１１…階層分離部、１２−１〜１２−Ｎ…アプリケーション復号部
【図１】
2005027222.tif 000003
【図２】
2005027222.tif 000004
【図３】
2005027222.tif 000005
【図４】
2005027222.tif 000006
【図５】
2005027222.tif 000007